(57)【要約】【課題】テレビに表示される階層構造のメニューを利用することなく、簡便に希望する機能設定メニューを選択できるメニュー選択装置を提供する。【解決手段】リモコン３００の各数字キーには、キーに表示された行頭文字が含まれる仮名文字の母音行または子音行が割り付けられている。ユーザがリモコン３００を使用して、テレビ１００に画質の設定を行う画面を表示する場合、ユーザは「が」、「し」、および「つ」の３つの仮名文字のそれぞれに対応する数字キーをそれぞれ１回、合計３回だけ操作する。３回のキー操作により入力された数字列「２、３、４」は、メニュー選択装置２００で変換テーブルＴの数字列と照合され、対応する機能に関するメニューキーワードＳｋが選出される。選出されたメニューキーワードＳｋに基づいて、テレビ１００に画質の設定を行う画面が表示される。【選択図】図１
2009015440.tif 000002
【特許請求の範囲】
【請求項１】
複数の文字入力キーが設けられたリモコンから送信されるリモコン信号に基づいて設定可能な複数の機能を有する機器に用いられ、前記リモコン信号によって指示される機能を選択するメニュー選択装置であって、
前記複数の機能のそれぞれに割り当てられたメニューキーワードに対応する見出し情報を表す変換テーブルと、
前記リモコン信号から、操作された前記文字入力キーと操作された順番を表す文字入力キー操作情報を抽出する文字入力キー操作情報抽出手段と、
前記抽出された文字入力キー操作情報を前記変換テープルと照合して、当該文字入力キー操作情報が一致する前記見出し情報に対応する前記メニューキーワードを選出するメニューキーワード選出手段とを備えるメニュー選択装置。
【請求項２】
前記文字入力キー操作情報および前記見出し情報は、それぞれ数字を表す情報で構成されている請求項１に記載のメニュー選択装置。
【請求項３】
前記見出し情報は、仮名文字の母音行および子音行の各々に対応した情報の配列である請求項１または２に記載のメニュー選択装置。
【請求項４】
前記見出し情報を構成する個々の情報は、前記リモコンの文字入力キーの各々に表示された仮名文字の母音行および子音行のいずれかに対応している請求項３に記載のメニュー選択装置。
【請求項５】
前記見出し情報は、アルファベットのうち特定の複数の文字に対応した情報の配列である請求項１または２に記載のメニュー選択装置。
【請求項６】
前記見出し情報を構成する個々の情報は、前記リモコンの文字入力キーの各々に表示されたアルファベットの文字のいずれかに対応している請求項５に記載のメニュー選択装置。
【請求項７】
前記変換テーブルを格納する第１の記憶手段を更に備える請求項１に記載のメニュー選択装置。
【請求項８】
前記文字入力キー操作情報を格納する第２の記憶手段を更に備える請求項１に記載のメニュー選択装置。
【請求項９】
前記メニューキーワード選出手段から前記機器に送られる前記メニューキーワードは、前記機器において行われる所定の機能に関する処理に対応している請求項１に記載のメニュー選択装置。
【発明の詳細な説明】
【技術分野】
【０００１】
本発明は、画像表示装置の各機能について各種の設定を行うために用意されたメニューから、ユーザが希望するメニューを選択するメニュー選択装置に関する。
【背景技術】
【０００２】
デジタル家電の広汎な普及の結果、キーボードやマウスを使用した文字入力やメニュー選択とは異なる方法で、文字入力やメニューを選択する方法が複数存在している。現在携帯電話において用いられている文字入力の方式（以降、携帯電話入力方式と呼ぶ）が一般的に広がっている。同方式においては、一つの数字と複数の仮名文字が割り当てられた１つのキー（通常、数字キーと呼ばれる）を、ユーザが繰り返し押すことにより、割り当てられた数字と複数の仮名文字を選択的に入力できる。具体例としては、数字キーのトップに数字と共に日本語の「あ」、「か」、「さ」等の５０音での各子音行の先頭の仮名文字が表示されている。それぞれのキーには、表示されている先頭の仮名文字が属する子音行の文字が割り当てられている。例えば、トップに「あ」が表示されているキーを繰り返し押すことにより、「あ」、「い」、「う」、「え」、および「お」の子音が順番に入れ替わり、目的の文字が表示された時、他のキーを押下するか決定キーを押下することにより目的の文字を入力できる。
【０００３】
携帯電話の場合は、数字キーと表示画面が同じ視野に入るため、操作者に不要な労力を強いることはない。しかし、テレビ等の画像表示装置に文字を表示させて、目的の文字を入力させるリモコンに携帯電話入力方式を適用した場合には、以下に述べるような問題が生じる。つまり、操作者は、数字キーのトップに表示された仮名文字を目で確認しながらリモコンを操作し、同操作に応じてテレビ画面の文字入力フィールドに変化して表示される仮名文字を見ながら、さらにリモコンのキーの押下作業を行なう必要がある。そのため、リモコンのキートップとテレビ画面を交互に見る必要がありスムーズにかつ高速に入力することが難しい。
【０００４】
このような問題点を改善するべく、リモコンを用いた文字入力機能付きテレビ受信機の文字入力支援方法（例えば、特許文献１参照）が提案されている。同支援方法においては、テレビ受信機の表示画面に表示されたソフトウェアキーボード上にリモコンのキー配列が重ねて表示され、リモコンのシフトキーによって表示されているソフトウェアキーボード上を移動し、そしてリモコンのキーを押圧入力して対応するソフトウェアキーの入力が確定される。
【０００５】
また、機器特有の機能や使いたい機能の正式名称がわからなくても関係する用語を入力したり、学習機能を設けることで簡単にメニューから選択する携帯電話機のメニュー検索システム（例えば、特許文献２参照）も提案されている。同システムは、キーボード、機能名称格納テーブル、連想機能名称格納テーブル、検索部、検索機能名称格納テーブル、およびディスプレイとを含む。キーボードはキーワードの入力に用いられ、機能名称格納テーブルはメニュー番号と共に機能の機能名称を複数格納し、連想機能名称格納テーブルは機能名称格納テーブルに格納される各機能名称に帰属する連想機能名称を複数格納し、検索部は機能名称格納テーブルからキーワードを含む機能名称を検索して想機能名称格納テーブルからキーワードを含む連想機能名称を検索し、検索機能名称格納テーブルは検索部で検索された機能名称を全て格納すると共に検索された連想機能名称が帰属する機能名称を全て格納し、ディスプレイは検索機能名称格納テーブルに格納された機能名称を全て表示する。
【特許文献１】特開２００５−２８６８３５号公報
【特許文献２】特開２００５−２２９３９８号公報
【発明の開示】
【発明が解決しようとする課題】
【０００６】
テレビジョン放送受像機やビデオ録画機等の画像表示装置では、付随するそれぞれの機能について各種設定を行うために、メニュー画面にメニュー（機能）の一覧が表示できるようになっている。通常、メニュー画面には関連するメニューが階層的に表示され、ユーザはリモコン或いはキーボードを利用して、該当するメニューを選択する。ユーザが該当する機能を選択すると、画面にそのメニューに関する各種設定の入力画面が表示される。ユーザが入力画面に必要な情報を入力することにより、設定が完了する。
【０００７】
このように、リモコンやキーボードを用いて、メニュー画面から希望するメニューの設定画面を検索する場合、目的の機能にたどり着くまでに決定キーとカーソル移動キーを何度も押下する必要があり、検索に時間がかかる。またユーザはメニュー階層のたどり方（つまり、メニューの階層構造）を覚える必要がある。
【０００８】
上述のメニュー画面を利用した機能設定画面の検索方法に代え、文字入力支援方法（特許文献１）により機能設定画面を検索する方法もある。この方法によると、「画質」というメニューを選択したい場合には、直接「が」「し」「つ」と入力する必要がある。そのためには、リモコン「６」、リモコン「緑」、リモコン「↓」、リモコン「２」、リモコン「７」と５回のキー操作が必要である。つまり、「がしつ」という３つの仮名文字を入力する場合、目的の文字を選出するために文字数よりも２回も余分なキー操作が必要となる。また、メニュー検索システム（特許文献２）においては、「画質」という文字入力作業に加えて検索によって絞込みを行なう必要があり、さらに手間がかかる。
【０００９】
本発明は上述した従来の問題点に鑑みてなされたもので、入力する文字を画面上で確認する必要がなく、簡便に希望する機能設定メニューを選択できるメニュー選択装置を提供することを目的とする。
【課題を解決するための手段】
【００１０】
上記目的を達成するために、本発明に係るメニュー選択装置は、
複数の文字入力キーが設けられたリモコンから送信されるリモコン信号に基づいて設定可能な複数の機能を有する機器に用いられ、前記リモコン信号によって指示される機能を選択するメニュー選択装置であって、
前記複数の機能のそれぞれに割り当てられたメニューキーワードに対応する見出し情報を表す変換テーブルと、
前記リモコン信号から、操作された前記文字入力キーと操作された順番を表す文字入力キー操作情報を抽出する文字入力キー操作情報抽出手段と、
前記抽出された文字入力キー操作情報を前記変換テープルと照合して、当該文字入力キー操作情報が一致する前記見出し情報に対応する前記メニューキーワードを選出するメニューキーワード選出手段とを備えるものである。
【００１１】
ここで、前記文字入力キー操作情報および前記見出し情報は、それぞれ数字を表す情報で構成されていることが好ましい。また前記見出し情報は、仮名文字の母音行および子音行の各々に対応した情報の配列であることが好ましい。また前記見出し情報を構成する個々の情報は、前記リモコンの文字入力キーの各々に表示された仮名文字の母音行および子音行のいずれかに対応していることが好ましい。
【００１２】
ここで、前記見出し情報は、アルファベットのうち特定の複数の文字に対応した情報の配列であることが好ましい。また前記見出し情報を構成する個々の情報は、前記リモコンの文字入力キーの各々に表示されたアルファベットの文字のいずれかに対応していることが好ましい。
【００１３】
また本発明に係るメニュー選択装置は、前記変換テーブルを格納する第１の記憶手段を更に備えること、および前記文字入力キー操作情報を格納する第２の記憶手段を更に備えるが好ましい。更に前記メニューキーワード選出手段から前記機器に送られる前記メニューキーワードは、前記機器において行われる所定の機能に関する処理に対応していることが好ましい。
【発明の効果】
【００１４】
本発明によれば、目的の設定メニューがどのリモコンキーから入ればよいかや、メニュー階層のたどり方を覚える必要がなく、機能名の仮名の行頭文字あるいはアルファベット群の頭文字のみをそれぞれ入力するだけで、該当する機能設定メニューを表示できる。
【発明を実施するための最良の形態】
【００１５】
図１に示すように、本発明の実施の形態にかかるメニュー選択装置２００は、好ましくはテレビジョン受像機（以降、「テレビ」と略記する）１００に組み込まれた状態で用いられる。メニュー選択装置２００は、赤外線受光部２１０、ＣＰＵ２２０、記憶部２３０、および一時記憶部２４０を含む。
【００１６】
赤外線受光部２１０は、文字入力キーに５０音やアルファベットが刻印されたリモコン３００から発せられた赤外線信号Ｉｒを電気信号に変換する。変換された電気信号には、リモコン３００の文字入力キーを押下することにより生成されたリモコン信号Ｓｒが含まれる。
【００１７】
ＣＰＵ２２０は、リモコン信号Ｓｒから、操作された文字入力キーと操作されたキーの順番を表す情報（以降、「キー操作情報」という）ＳＴＲを抽出する。抽出されたキー操作情報ＳＴＲは、一時記憶部２４０に一時的に格納される。
【００１８】
記憶部２３０には、キー操作情報ＳＴＲと同様の構成の見出し情報Ｓｔと、前記メニューに含まれる各々の機能に対応するメニューキーワードＳｋとの関係を示す変換テーブルＴが格納されている。なお、キー操作情報ＳＴＲ、見出し情報ＳｔおよびメニューキーワードＳｋの内容については、後に詳述する。
【００１９】
ＣＰＵ２２０は、一時記憶部２４０に格納されたキー操作情報ＳＴＲと、記憶部２３０に格納されている変換テーブルＴの見出し情報Ｓｔとを比較照合する。ＣＰＵ２２０は、一致する見出し情報Ｓｔがあった場合、変換テーブルＴから見出し情報Ｓｔに対応するメニューキーワードＳｋを選出し、テレビ１００の表示部１１０に転送する。表示部１１０はＧＵＩ作成機能を備えており、メニューキーワードＳｋに対応する設定画面を表示する。
【００２０】
なおＣＰＵ２２０は、本発明の構成要素である文字入力キー操作情報抽出手段およびメニューキーワード選出手段のそれぞれの機能を実現する。またＣＰＵ２２０は、赤外線受光部２１０、記憶部２３０および一時記憶部２４０の各部の動作を制御する制御部としての機能も果たす。
【００２１】
リモコン３００には、文字入力キー（一般には数字キーと呼ばれる）、シフトキーおよび決定キーが設けられている。なお、リモコン３００は、テレビのリモコンに限定されるものではない。つまり、赤外線受光部２１０は、テレビのリモコンから発光される赤外線信号のみならず、携帯電話などの赤外線信号を電気信号に変換できるものとする。
【００２２】
次に、図２を参照して、メニュー選択装置２００において選択可能なメニュー構成の一例について説明する。テレビ１００は、放送波を受信部（不図示）によって受信し、同放送波によって搬送されるコンテンツを提示して、ユーザの視聴に供する。ユーザは、コンテンツの視聴にあたり、テレビ１００の画質や音声の設定を変更することがある。また、テレビ１００は、ＳＤカードインターフェースやＬＡＮインターフェスという拡張機能を有しており、ユーザはこれらの拡張機能の設定を変更することがある。
【００２３】
メニューには、テレビ１００の各機能のうちユーザによる設定や調整が可能な機能の名称が含まれる。一般的に、ユーザがリモコンなどでスタートメニュー表示を要求すると、ディスプレイにユーザが選択可能な複数の大項目が表示される。本例においては、「画質」、「音声」、および「周辺」が大項目として設定されている。なお、「画質」および「音声」は、それぞれ、表示される画像および出力される音声に関して、ユーザが調整できる中項目を含むが、本例においては図示されていない。
【００２４】
メニューの「周辺」とは、ユーザが選択して使用できる周辺機器のことであり、本例においては、アンテナ、モデム、ＳＤ、およびＬＡＮが含まれる。なお、これら周辺機器のそれぞれに関して、ユーザが選択できる小項目が設けられることもある。必要であれば、小項目の下に細分化された項目が設けられる。このように、メニューは複数の層からなる階層構造を有して構成されている。
【００２５】
例えば、ユーザがテレビのリモコン３００を使用して、画質の設定を変更する場合、スタートメニューから容易に大項目の「画質」に到達できる。しかしながら、ユーザの選択する項目が、メニューの階層構造の深部にある場合や、どの階層にあるのか分からない場合には、リモコン操作が煩雑になる。また、キーワード等を入力してメニューを選択する場合も既に述べているように煩雑である。
【００２６】
このような、メニューの階層構造に起因するリモコン操作の煩雑さを解消するために、本発明のメニュー選択装置２００においては、ユーザは選択できる項目の階層や階層の深さに関わらず、選択する項目名をリモコンの数字キーを操作して直接入力する。ただし、従来のように、項目名を入力するために項目名の仮名文字数以上のキー操作を必要としない、つまり目的の文字を選出するためのキー操作を不要としている。
【００２７】
このために、リモコン３００の下段に配列された１２個のキーのそれぞれには、２種類以上の文字種に属する文字或いは機能が割り当てられている。これら１２個のキーには、それぞれ１、２、３、４、５、６、７、８、９、１０、１１、および１２と１２種類の数字が割り当てられている。この事実に基づいて、１２個のキーを従来通り数字キーと総称し、個別には割り当てられている数字を引用して識別する。
【００２８】
数字キー１には、「あ」、「い」、「う」、「え」および「お」の５つの仮名文字から成る母音行が割り当てられている。数字キー１のキートップには「１」と母音行の先頭文字である「あ」が表示されている。
【００２９】
数字キー２には、か行に属する子音と、アルファベットの「Ａ」、「Ｂ」および「Ｃ」が割り当てられている。数字キー２のキートップには、「２」と、「か」と、「ＡＢＣ」が表示されている。以下同様に、数字キートップ「３」、「４」、「５」、「６」、「７」、「８」、および「９」には、図１に示すように、それぞれにキートップに表示されている仮名を先頭文字とする子音行の文字と、表示されているアルファベットが割り当てられている。
【００３０】
数字キー１０には、「。」がキートップに表示されていると共に、主に句読点が割り当てられている。数字キー１１には、「わ」がキートップに表示されると共に、わ行の子音が割り当てられている。数字キー１２には、「改」がキートップに表示されると共に、改行などの機能が割り当てられている。なお、文字種として、カタカナや各文字種ごとの大文字／小文字など、入力に必要と思われるものを設定できる。上述した数字キーの構成は携帯電話の数字キーの構成と変わらない。
【００３１】
ユーザがリモコン３００に入力するメニューの項目名は、複数の文字の組み合わせによって構成される文字列である。全ての仮名文字は、濁音および半濁音を含めてそれぞれの母音行および子音行には行頭文字が存在する。同様に、リモコン３００の数字キーには、アルファベット群に対応した数字が割り振られている。「Ｌ」は「Ｊ、Ｋ、Ｌ」に割り振られた「５」に相当し、「Ａ」は「Ａ、Ｂ、Ｃ」に割り振られた「２」に相当し、「Ｎ」は「Ｍ、Ｎ、Ｏ」に割り振られた「６」に相当する。
【００３２】
参考として図３に、リモコン３００の数字キーに割り振られた仮名文字を示す。また図４に、リモコン３００の数字キーに割り振られたアルファベットを示す。
【００３３】
ユーザがこのように構成されたリモコン３００を使用して、画質の設定を変更するべく「がしつ」の３つの仮名文字を入力する場合を例に、本実施の形態にかかるメニュー選択装置２００によるメニュー選択動作について説明する。上述の様に、本発明においては、ユーザは「が」、「し」、および「つ」の３つの仮名文字のそれぞれに対応するキーをそれぞれ１回、合計３回だけ操作して「がしつ」を入力する。
【００３４】
図３に示す様に、「が」はか行に含まれる文字であり、「し」はさ行に含まれる文字であり、「つ」はた行に含まれる文字である。また、リモコン３００の数字キーには、仮名文字の行頭文字に対応した数字が割り振られている。「か」は「２」に相当し、「さ」は「３」に相当し、「た」は「４」に相当する。そのため、「がしつ」は「２、３、４」と置き換えることができる。このように、「画質」を設定する場合、上述の従来の文字入力支援方法よるリモコンキーの押下回数が５に対して、メニュー選択装置２００では押下回数が３となり、操作を簡略化できる。
【００３５】
メニューのうちアルファベットで表示された「ＳＤ」および「ＬＡＮ」を入力する場合のメニュー選択動作についても簡単に説明する。図４に示す様に、「ＳＤ」は、数字キー７、および数字キー３が対応する。同様に、「ＬＡＮ」は、数字キー５、数字キー２、および数字キー６が対応する。例えば「ＳＤ」を入力する場合、ユーザは「Ｓ」、および「Ｄ」の２つのアルファベットのそれぞれに対応するキーをそれぞれ１回、合計２回だけ操作する。結果、「ＳＤ」は数字列「７、３」に置き換えられる。
【００３６】
本実施の形態では、ユーザはリモコン３００の同じボタンを複数回押して該当の１文字を直接入力するのではなく、目的する仮名文字が含まれる子音行が割り当てられた数字キーを１度だけ操作する。つまり、同一のキーに割り当てられた数字と子音行仮名文字という異なる文字種の切り替え操作をすることなく、単に目的の文字を含む子音行が割り当てられたキー（数字キー）を押下するだけで、目的の文字を間接的に入力できる。また、ユーザがリモコン３００を使用して、例えば、ＬＡＮの設定を変更したい場合、直接入力する場合と比較して、大幅に押下回数を低減できる。
【００３７】
リモコン３００は、押下されたキーを識別できる情報、例えば同キーに割り当てられている数字や子音行に含まれる文字を表すキー操作情報ＳＴＲを生成する。リモコン３００は、生成されたキー操作情報ＳＴＲを含む赤外線信号Ｉｒをメニュー選択装置２００（図１）に出力する。
【００３８】
なお、本実施の形態においては、キー操作情報ＳＴＲは押下されたキーに割り当てられている数字の繋がり（配列）である所定の数字列を表す。つまり、図２に示した、大項目の「画質」、「音声」、および「周辺」に対応するキー操作情報ＳＴＲ（数字列）は、それぞれ「２、３、４」、「１，１１，３、１」、および「３、８、６、１１」である。中項目の「アンテナ」、「モデム」、「ＳＤ」、および「ＬＡＮ」に対応する数字列はそれぞれ「１，１１、４、５」、「７、４、７」、「７、３」、および「５、２、６」である。
【００３９】
このように、ユーザは、目的の文字を入力するために、その文字が属する文字種を選択する動作、さらには文字種から目的の文字を選択する動作を行う必要がない。だだ、入力する文字（仮名文字、カタカナ、アルファベット）が割り当てられている数字キーを押下するだけでよい。ユーザが入力（キー操作）した数字列（キー操作情報ＳＴＲ）を含むリモコン信号Ｓｒは、赤外線受光部２１０で受信される。赤外線受光部２１０は、リモコン信号Ｓｒをメニュー選択装置２００での内部処理に適したフォーマットに変換してＣＰＵ２２０に出力する。ＣＰＵ２２０は、リモコン信号Ｓｒからキー操作情報ＳＴＲを抽出して一時記憶部２４０に出力する。
【００４０】
記憶部２３０には、数字列である見出し情報Ｓｔをメニューのキーワード（機能名）に変換する変換テーブルＴが格納されている。ＣＰＵ２２０は、一時記憶部２４０に保持されている数字列（キー操作情報ＳＴＲ）を記憶部１３０に格納されている変換テーブルＴの数字列（見出し情報Ｓｔ）と照合して、ユーザがリモコン３００で指示したメニューキーワードＳｋを選出する。
【００４１】
図５に、変換テーブルＴの一例を示す。変換テーブルＴは、数字列である見出し情報Ｓｔを表す領域と、数字列のそれぞれに対応するメニューキーワードＳｋを表す領域の二つの領域から構成される。見出し情報Ｓｔの領域には、「画質」、「音声」、「周辺」、「アンテナ」、「モデム」、「ＳＤ」、および「ＬＡＮ」のそれぞれに対応する数字列として、「２、３、４」、「１、１１，３、１」、「３、８，６、１１」、「１、１１、４、５」、「７、４、７」、「７、３」、および「５、２、６」がそれぞれ記録されている。
【００４２】
一方、メニューキーワードＳｋの領域には、図２に示したメニューにおける大項目である「画質」、「音声」、および「周辺」と、「周辺」の中項目である「アンテナ」、「モデム」、「ＳＤ」、および「ＬＡＮ」が記録されている。なお、図５ではメニューキーワードＳｋとして図２のメニューの項目名を用いているが、特に文字に限定する必要はなく、機能を識別できるものであれば、数字や一般的なコードを用いても良い。
【００４３】
図５に矢印で示すように、ＣＰＵ２２０は、一時記憶部２４０に保持されているキー操作情報ＳＴＲを変換テーブルＴの見出し情報Ｓｔと照合して、数字列が一致するものがある場合、対応するメニューキーワードＳｋを選出する。その後、ＣＰＵ２２０は選出したメニューキーワードＳｋをテレビ１００の表示部１１０に転送する。表示部１１０は、送られてきたメニューキーワードＳｋに対応する機能に関する設定画面をディスプレイに表示する。
【００４４】
このように本実施の形態のメニュー選択装置では、文字入力支援方法を採用した従来技術に比べてリモコンキーの押下回数を低減できるため、メニュー選択時の操作を簡略化できる。
【００４５】
なお、本実施の形態においては、メニュー選択装置をテレビに組み込んだ場合について説明したが、これに限定されるものではない。ビデオ録画機やＤＶＤ記録再生機を含むその他の画像表示装置に本実施の形態のメニュー選択装置を組み込んでも、同様の効果が得られることは云うまでもない。
【産業上の利用可能性】
【００４６】
本発明は、リモコンを用いて画像表示装置のそれぞれの機能について各種の設定を行う際に用いるメニュー選択装置として広く利用できる。
【図面の簡単な説明】
【００４７】
【図１】本発明の実施の形態にかかるメニュー選択装置を組み込んだテレビの構成を示す図
【図２】図１に示したメニュー選択装置において選択できるメニュー構造を示す図
【図３】仮名文字に対応する数字キーの関係を示す図
【図４】アルファベットに対応する数字キーの関係を示す図
【図５】図１の記憶部に格納された変換テーブルを示す図
【符号の説明】
【００４８】
１００    テレビ
１１０    表示部
２００    メニュー選択装置
２１０    赤外線受光部
２２０    ＣＰＵ
２３０    記憶部
２４０    一時記憶部
３００    リモコン
【図１】
2009015440.tif 000003
【図２】
2009015440.tif 000004
【図３】
2009015440.tif 000005
【図４】
2009015440.tif 000006
【図５】
2009015440.tif 000007